(57)【要約】【課題】瓦、スレート系及び金属などの屋根上葺材と野地板との間に介在せしめて屋根の防水性を保持させるための屋根下葺材、特に、表面が平滑な下地板を用いた勾配屋根であって、作業者の体重がかかったときでも滑って仕舞うことのない屋根下葺材を提供するものである。【解決手段】本発明に係る屋根下葺材は、屋根下葺材本体１の裏面に、勾配屋根下地板の表面との間で摩擦抵抗が高い状況を作ることのできる滑り止め層２を設けたことを特徴とし、勾配屋根下地板の表面との防滑性が図れるようにした。前記滑り止め層が、エラストマー、ＳＢＳ、ＳＢＲ、エチレン−オクテン、ＥＶＡ、アクリル、ウレタン、ＮＢＲ、天然ゴム等及びこれらの共重合体等であると、勾配屋根下地板の表面との防滑性をより向上できるものである。【選択図】図１
2007309060.tif 000002
【特許請求の範囲】
【請求項１】
屋根下葺材の本体裏面に、勾配屋根下地板の表面との間で摩擦抵抗が高い状況を作ることのできる滑り止め層を設けたことを特徴とする屋根下葺材。
【請求項２】
前記滑り止め層が、エラストマー、ＳＢＳ、ＳＢＲ、エチレン−オクテン、ＥＶＡ、アクリル、ウレタン、ＮＢＲ、天然ゴム等及びこれらの共重合体等であることを特徴とする請求項１に記載の屋根下葺材。
【発明の詳細な説明】
【技術分野】
【０００１】
本発明は、瓦、スレート系及び金属などの屋根上葺材と勾配屋根の下地板の表面との間に介在せしめて屋根の防水性を保持させるための屋根下葺材に関するものである。
【背景技術】
【０００２】
勾配屋根での屋根下葺材を施工する場合、該下葺材は下地板（野地板）にステープル止めをする。そのステープルの数は、たとえば、５０坪の屋根面積の場合で、約３，０００本にもなる。この下葺材は防水を目的として敷設するものであり、これにステープルを打ち込めば下葺材に穴を開ける結果、下葺材の防水性という本来の目的を減殺することになる。もちろん、瓦等の上葺材を施工した後の降雨の場合には、たとえ下葺材上に雨水がまわり込んでも、水は「流れ（フロー）」の状態となるため、表面張力との関係もあってステープル穴からの漏水は実験的にも殆ど認められないが、上葺材を施工する前の降雨では漏水事故を起こすこともあった。
【０００３】
通常、勾配屋根に下葺材を敷設する場合、軒先側から棟側へ重ね部を作りながら貼り、その重ね部にステープルを打ち込んで行くが、敷設した下葺材上に作業者が乗り、その人の体重がかかると下葺材が表層雪崩と同様な現象を生じ、屋根の傾斜に沿って下方向にズレ、ステープルの止め個所に大きな裂け目が出来ることがあった。
【０００４】
前記勾配屋根の下地板には様々な板材が使用される。その板材の表面に木の風合いの凹凸面（木目）が残っているような場合、その上に敷設した屋根下葺材は板材の表面との間で摩擦抵抗が高い状況で接しているので、作業者が上述の如く乗ったとしても屋根下葺材が勾配屋根の下地板との間で表層雪崩と同様な現象を生じ難くなる。
【発明の開示】
【発明が解決しようとする課題】
【０００５】
しかしながら、最近販売されている下地板の中には、たとえば、パーチクルボードの如く表面が平滑なものがあり、これを勾配屋根の下地板として用いたときは、作業中作業者が乗り、体重がかかったときに屋根下葺材が勾配屋根の下地板の表面を滑って仕舞い、ステープル穴が拡大して屋根下葺材の本来の機能（防水性）を損なわせたり、場合によっては、転落の虞があった。
【０００６】
本発明は上記の問題を解消するためのもので、その目的とするところは、表面が平滑な下地板を用いた勾配屋根であっても作業者の体重がかかったときでも屋根下葺材が勾配屋根の表面を滑って仕舞うことのなく、ステープル穴が拡大せず、かつ、作業者の転落のおそれのない屋根下葺材を提供することにある。
【課題を解決するための手段】
【０００７】
上記の目的を達成するため、本発明に係る屋根下葺材は、本体裏面に、勾配屋根下地板の表面との間で摩擦抵抗が高い状況を作ることのできる滑り止め層を設けたことを特徴とし、勾配屋根下地板の表面との防滑性が図れるように構成した。
【０００８】
また、請求項２に記載の屋根下葺材は、前記滑り止め層が、エラストマー、ＳＢＳ、ＳＢＲ、エチレン−オクテン、ＥＶＡ、アクリル、ウレタン、ＮＢＲ、天然ゴム等及びこれらの共重合体等であることを特徴とし、勾配屋根下地板の表面との防滑性をより向上できるように構成した。
【発明の効果】
【０００９】
本発明によれば、本体裏面に、勾配屋根下地板の表面との間で摩擦抵抗が高い状況を作ることのできる滑り止め層を設けたことを特徴としているから、パーチクルボードの如く表面が平滑な滑り易い下地板からなる勾配の屋根上に敷設した場合でも、裏面の滑り止め層の作用により下地板の表面との間で摩擦抵抗の高い状況が作られるので、作業者が乗って体重をかけた場合でも屋根下葺材が勾配屋根下地板の表面を滑って仕舞うことがなく、ステープル穴が拡大して屋根下葺材としての機能（防水性）を損なわせるようなことがなく、また、作業者の転落の虞も生じないという優れた効果を奏するものである。
【００１０】
また、請求項２に記載の発明によれば、前記滑り止め層が、エラストマー、ＳＢＳ、ＳＢＲ、エチレン−オクテン、ＥＶＡ、アクリル、ウレタン、ＮＢＲ、天然ゴム等及びこれらの共重合体等であることを特徴としているので、勾配屋根下地板の表面との防滑性をより向上できるという優れた効果を奏するものである。
【発明を実施するための最良の形態】
【００１１】
次に、本発明の実施の態様を添付図面に基づいて説明する。図１は本願下葺材の拡大断面図である。
【００１２】
図において、１は屋根下葺材本体（以下単に「本体」ともいう。）１で、該本体１は例えば、図示の如く、下から不織布等の繊維質シート１ａと、改質アスファルト層１ｂと、アスファルト含浸不織布１ｃとを、この順で積層してなる。勿論、本体１を上記構成以外にすることも可能である。
【００１３】
前記本体１の裏面には、滑り止め層（５〜１００ｇ／ｍ2 ）２が貼合されている。この滑り止め層は、勾配屋根下地板３の表面との間で摩擦抵抗が高い状況を作ることのできる素材であれば特に問わないが、エラストマー、ＳＢＳ、ＳＢＲ、エチレン−オクテン、ＥＶＡ、アクリル、ウレタン、ＮＢＲ、天然ゴム等及びこれらの共重合体等を用いることが防滑性をより向上させる点で望ましい。この場合、勾配屋根としては６寸勾配でも滑り止め効果が得られることが好ましい。「６寸勾配」とは、底辺１尺に対して６寸立ち上げた傾斜であり、この傾斜角はたとえば金槌やステープル入れ箱などを置いたときに、自然に滑り出すような傾斜角である。
【００１４】
前記本体１の表面には、骨材（ノンスリップ材）を混ぜたバインダー（図示せず）を骨材を作業者の靴底が引っかかるように突出させるように塗布してあるとよい。この骨材としては、硅砂、セラミック、炭カルなどの無機質粒子やゴム、樹脂などの有機質粒子を用いて満足できる。骨材はバインダーにまばらに分散するようにしてもよい。
【実施例】
【００１５】
今、下から不織布等の繊維質シート（４０ｇ／ｍ2 ）１ａ、改質アスファルト層（厚さ０．５ｍｍ）１ｂ、アスファルト含浸不織布（不織布目付８０ｇ／ｍ2 ）１ｃを積層してなる本体の裏面（繊維質シート１ａの外面）に、エチレン−オクテンの５０ｇ／ｍ2 厚の滑り止め層２を設けて本願屋根下葺材を得た。
【００１６】
これに対して、図２の如く、下から不織布等の繊維質シート（４０ｇ／ｍ2 ）２１、改質アスファルト層（厚さ０．５ｍｍ）２２、アスファルト含浸不織布（不織布目付８０ｇ／ｍ2 ）２３を積層してなる比較屋根下葺材を得た（繊維質シート２１の外面は滑り止め層の形成はない）。
【００１７】
本願屋根下葺材と比較屋根下葺材とを、パーチクルボードからなる下地板を用いて６寸勾配の屋根と同様の傾斜面を２基作り、それぞれの屋根に軒側から棟側に一部を重ね、重ね部にステープルを打ち込んで止めつつ傾斜面全体に敷設した。その後、作業者（男性で体重６５ｋｇ）が屋根下葺材の上を作業時と同様に転落しないように気をつけながら慎重に歩き、その歩いた個所のステープル穴の拡大の状況を調査したところ、本願屋根下葺材ではステープル穴の拡大は見られなかったが、比較屋根下葺材では２ｍｍから５ｍｍのステープル穴の拡大が見られた。
【産業上の利用可能性】
【００１８】
本願屋根下葺材は、一般市販の屋根下葺材を勾配屋根に軒先側から棟側へ重ね部を作りながら貼ってステープル止めを行うに際し、施工者の体重がかかったところでも滑り止め性が得られ、施工作業を楽に行うことができるものである。
【図面の簡単な説明】
【００１９】
【図１】本願屋根下葺材の拡大断面図である。
【図２】比較屋根下葺材の拡大断面図である。
【符号の説明】
【００２０】
１  屋根下葺材本体（本体）
１ａ  不織布等の繊維質シート
１ｂ  改質アスファルト層
１ｃ  アスファルト含浸不織布
２  滑り止め層
２１  不織布等の繊維質シート
２２  改質アスファルト層
２３  アスファルト含浸不織布
【図１】
2007309060.tif 000003
【図２】
2007309060.tif 000004